(57)【特許請求の範囲】
【請求項１】
パネル状材を壁下地材に取り付ける壁用パネル状材の取付金具であって、金属板材を成形してなり、前記壁下地材に沿わされた状態とされる基部と、この基部から折り曲げられて前記壁下地材と反対方向となる方向に突出し、前記パネル状材の端部を当接される前方突出部とを一体的に有する壁用パネル状材の取付金具において、
前記基部および前記前方突出部の双方に跨って存在する屈曲された絞り加工部を有し、この屈曲された絞り加工部は、前記基部となるべき部分に対し前記前方突出部となるべき部分を折り曲げる前に、前記基部となるべき部分および前記前方突出部となるべき部分に跨って存在する絞り加工部を絞り加工により形成し、しかる後に前記基部となるべき部分に対し前記前方突出部となるべき部分を折り曲げ加工することにより形成されている壁用パネル状材の取付金具であって、
前記基部となるべき部分および前記前方突出部となるべき部分に跨って形成する絞り加工部に、高く隆起する高隆起部分と低く隆起する低隆起部分とを設けておき、前記低隆起部分が存在する部分において、前記基部となるべき部分に対し前記前方突出部となるべき部分を折り曲げ加工し、前記高隆起部分は前記基部に存在するようになっている壁用パネル状材の取付金具。
【請求項２】
前記屈曲された絞り加工部は、前記基部において前記壁下地材と反対方向となる方向に隆起している請求項１記載の壁用パネル状材の取付金具。
【請求項３】
複数のパネル状材を、これらのパネル状材の端部間に前記前方突出部が挟まれるようにして互いに突き合わせた状態で壁下地材に取り付ける請求項１または２記載の壁用パネル状材の取付金具。
【請求項４】
前記前方突出部の先端部から互いに大略反対方向に折り曲げられた第一の折り曲げ片および第二の折り曲げ片を有し、前記第一の折り曲げ片は一のパネル状材の一端部に係合される一方、前記第二の折り曲げ片は前記一のパネル状材に突き合わされる他のパネル状材の一端部に係合される請求項３記載の壁用パネル状材の取付金具。
【発明の詳細な説明】
【０００１】
【発明の属する技術分野】
本発明は、建物等の外装材、内壁材等のパネル状材を壁下地材に取り付けるための壁用パネル状材の取付金具に関する。
【０００２】
【従来の技術】
この種の壁用パネル状材の一種である従来の外装材の取付金具は、一般に金属板をプレス加工により成形してなり、前記壁下地材に沿わされた状態とされる基部と、この基部から折り曲げられて前記壁下地材と反対方向となる方向（前方）に突出し、パネル状材の端部を当接され、パネル状材の壁下地材と平行方向の移動を防止する前方突出部とを一体的に有している。そして、従来のこのような取付金具においては、金属板の平面状態とされたままの部分を折り曲げることにより、基部と前方突出部との折り曲げ部を構成していた。
【０００３】
【発明が解決しようとする課題】
前記従来の取付金具においては、材料経済のために素材となる金属板の板厚を薄くすると、基部と前方突出部との折り曲げ部付近の剛性および強度が十分でなくなり、例えば、施工後、風等によって作用される力や衝撃によりこの部分が変形し、パネル状材の取付状態に異常をもたらす虞があった。
【０００４】
本発明は、従来のこのような事情に鑑みてなされたもので、本発明の一つの目的は、素材となる金属板の板厚を薄くしても、基部と前方突出部との折り曲げ部付近の剛性および強度を高め、取付金具の変形を防止できる壁用パネル状材の取付金具を提供することにある。
【０００５】
本発明のさらに他の目的は、以下の説明から明らかになろう。
【０００６】
【課題を解決するための手段】
本発明による壁用パネル状材の取付金具は、パネル状材を壁下地材に取り付ける壁用パネル状材の取付金具であって、金属板材を成形してなり、前記壁下地材に沿わされた状態とされる基部と、この基部から折り曲げられて前記壁下地材と反対方向となる方向に突出し、前記パネル状材の端部を当接される前方突出部とを一体的に有する壁用パネル状材の取付金具において、
前記基部および前記前方突出部の双方に跨って存在する屈曲された絞り加工部を有し、この屈曲された絞り加工部は、前記基部となるべき部分に対し前記前方突出部となるべき部分を折り曲げる前に、前記基部となるべき部分および前記前方突出部となるべき部分に跨って存在する絞り加工部を絞り加工により形成し、しかる後に前記基部となるべき部分に対し前記前方突出部となるべき部分を折り曲げ加工することにより形成されており、
かつ前記基部となるべき部分および前記前方突出部となるべき部分に跨って形成する絞り加工部には、高く隆起する高隆起部分と低く隆起する低隆起部分とを設けておき、前記低隆起部分が存在する部分において、前記基部となるべき部分に対し前記前方突出部となるべき部分を折り曲げ加工し、前記高隆起部分は前記基部に存在するようになっているものである。
【０００７】
この取付金具においては、基部および前方突出部の双方に跨って存在する屈曲された絞り加工部が設けられているので、素材となる金属板の板厚を薄くしても、基部と前方突出部との折り曲げ部付近の剛性および強度を高め、取付金具の変形を防止できる。
【０００８】
【発明の実施の形態】
以下、本発明を建物等の外装材の取付金具に本発明を適用した実施例に基づいて説明する。
【０００９】
【実施例】
図１〜１１は本発明による壁用パネル状材の取付金具の第一実施例、図１２〜１６は該実施例の製造工程において基部となるべき部分に対し前方突出部となるべき部分および間隙保持部となるべき部分を折り曲げ加工する直前の状態、図１７〜２０は該実施例を用いて壁下地材へパネル状材を取り付ける方法を示している。
【００１０】
この実施例において、取付金具１は、鋼板、ステンレス鋼板、アルミニウム合金板等からなる１枚の金属板をプレス加工により成形してなり、基部２、前方突出部３、一対の第一の折り曲げ片４、第二の折り曲げ片５および一対の間隙保持部６を一体的に有している。前記基部２はその外周を大略のところ矩形状とされており、前記前方突出部３は基部２の一端部（図３における下端部）から直角に折り曲げられて後述する壁下地材７と反対方向となる方向（前方）に突出している。
【００１１】
前記基部２および前方突出部３には、これら両部分２，３に跨って存在する屈曲された絞り加工部８が設けられている。この絞り加工部８は、高く隆起する高隆起部分８ａと低く隆起する低隆起部分８ｂとを有している。前記高隆起部分８ａは基部２に設けられており、前方（壁下地材７と反対方向となる方向）に隆起していて、比較的に広い斜面部８ａ1と平面状部８ａ2とを有している。前記斜面部８ａ1は基部２の他端部（図３における上端部）側に位置する一方、前記平面状部８ａ2は基部２の中央部に設けられている。前記低隆起部分８ｂは、基部２および前方突出部３に跨って存在しており、基部２においては前方、前方突出部３においては基部２側にそれぞれ高隆起部分８ａの平面状部８ａ2の隆起高さより低い高さで隆起している。前記低隆起部分８ｂは、基部２および前方突出部３に跨って存在しており、基部２においては前方、前方突出部３においては基部２側にそれぞれほぼ一様な高さで隆起しており、この低隆起部分８ｂの隆起高さは高隆起部分８ａの平面状部８ａ2の隆起高さより低くされている。このような絞り加工部８を形成する方法については後で詳しく説明する。
【００１２】
前記絞り加工部８の高隆起部分８ａの斜面部８ａ1には、釘穴９が設けられる一方、平面状部８ａ2にはビス穴１０が設けられている。前記ビス穴１０の周囲は絞り加工部８に対する逆絞り加工により大略円錐面状とされている。前記第一の折り曲げ片４および第二の折り曲げ片５は、前方突出部３の前端部から互いに大略反対方向（図３における斜め上方および斜め下方）に折り曲げられている。
【００１３】
前記一対の間隙保持部６は、基部２の幅方向両端部（図３における左右両端部）から直角に折り曲げられて前方（壁下地材７と反対方向）に突出している。これらの間隙保持部６の前端部付近は横断面コの字状となるように折り曲げられてコの字状屈曲部６ａとされている。前記基部２および間隙保持部６には、これら両部分２，６に跨って屈曲されたビード状の間隙保持部側リブ１１が設けられており、これらの間隙保持部側リブ１１は絞り加工部８の高隆起部分８ａに連続している。このような間隙保持部側リブ１１を形成する方法については次に絞り加工部８を形成する方法とともに詳しく説明する。
【００１４】
図１２〜１６は、取付金具１の製造過程において、基部２となるべき部分２’に対し前方突出部３となるべき部分３’および間隙保持部６となるべき部分６’を折り曲げ加工する直前の状態を示している（図１２は該状態を示す斜視図、図１３は該状態を図１２と反対側から見た斜視図、図１４は該状態を示す平面図、図１５は図１４のＸＶ−ＸＶ線における断面図、図１６は図１４のＸＶＩ−ＸＶＩ線における断面図である）。これらの図に示されるように、基部２となるべき部分２’に対し前方突出部３となるべき部分３’および間隙保持部６となるべき部分６’を折り曲げる前に、基部２となるべき部分２’および前方突出部３となるべき部分３’に跨って存在するように絞り加工部８をプレス加工の絞り加工により形成するとともに、基部２となるべき部分２’および間隙保持部６となるべき部分６’に跨って存在するようにビード状の間隙保持部側リブ１１をエンボス加工等のプレス加工により形成する。
【００１５】
次に、低隆起部分８ｂにおいて基部２となるべき部分２’に対し前方突出部３となるべき部分３’を折り曲げ加工するとともに、基部２となるべき部分２’に対し間隙保持部６となるべき部分６’を折り曲げ加工することにより、図１〜１１に示したような屈曲された絞り加工部８および間隙保持部側リブ１１が形成される。なお、第一および第二の折り曲げ片４，５、釘穴９、ビス穴１０およびコの字状屈曲部６ａはこの後に加工してもよいし、この前に加工してもよい。
【００１６】
次に、この取付金具１による外装材（壁用パネル状材）１２の取付例を図１７〜２０を用いて説明する。外装材１２を壁下地材７に取り付ける際には、一般に、図１７のように外装材１２を横長とし、各外装材１２の上端部と下端部とを突き合わせて、順次下段側から上段側へと外装材１２を取り付けて行く場合（所謂横貼り）と、図１８のように外装材１２を縦長とし、各外装材１２の左端部と右端部とを突き合わせて、順次左から右または右から左側に外装材１２を取り付けて行く場合（所謂縦貼り）とがある。図１９および２０は、図１７のように所謂横貼りを行う場合の取り付け方法を示している。この場合、各外装材１２の上端部には、その外面側を切り欠くことにより第一の実部１３が形成されている一方、外装材１２の下端部（図２０参照）には、その内面側を切り欠くことにより第二の実部１４が形成されている。また、各外装材１２の下端部には、第二の実部１４の内面に接するようにして係合溝１５が形成されている。
【００１７】
この場合、まず図１９に示されるように、取付金具１の間隙保持部６の前端部と前方突出部３と第二の折り曲げ片５との間に下段側の外装材１２の第一の実部１３が挿入されるようにして、取付金具１を下段側の外装材１２の上端部に係合する。なお、このとき、取付金具１は、前方突出部３が水平方向となる向きとするとともに、基部２が壁下地材７に沿わされた状態となるようにする。
【００１８】
次に、釘穴９に釘１６を挿入し、この釘１６を図２０に示されるように壁下地材７に打ち込む。これにより、基部２が壁下地材７に沿わされた状態で取付金具１が壁下地材７に固定され、ひいてはこの取付金具１を介して下段側の外装材１２の上端部が壁下地材７に取り付けられる。続いて、上段側の外装材１２の下端部の係合溝１５内に取付金具１の第一の折り曲げ片４が侵入係合し、上段側の外装材１２の下端部が前方突出部３に載置されるようにして、上段側の外装材１２の下端部を下段側の外装材１２の上端部に突き合わせる。
【００１９】
以後、同様にして順次下段側から上段側へと外装材１２を取り付けて行くことにより、外装材１２を相じゃくり方式で互いに上下に突き合わせた状態で壁下地材７に取り付けて行くことができる（互いに突き合わされ外装材１２の端部間には取付金具１の前方突出部３が挟まれた状態となる）。
【００２０】
なお、釘１６の代わりにビスを用いて取付金具１を壁下地材７に取り付ける場合は、ビス穴１０を用いてその取り付けを行うことができる。
【００２１】
また、ここでは、所謂横貼りを行う場合について説明したが、図１８のように所謂縦貼りを行う場合には、図１９および２０と比較し取付金具１を９０度回転した向き、すなわち前方突出部３が鉛直方向となる向きにして、図１９および２０の場合と同様に使用することができる。
【００２２】
この取付金具１においては、基部２および前方突出部３の双方に跨って存在する屈曲された絞り加工部８が設けられているので、素材となる金属板の板厚を薄くしても、基部２と前方突出部３との折り曲げ部付近の剛性および強度を高め、取付金具１の変形を防止できる。
【００２３】
また、屈曲された絞り加工部８は、基部２において前方（壁下地材７と反対方向となる方向）に隆起しているので、取付金具１を壁下地材７に取り付ける際に邪魔にならない。
【００２４】
また、基部２における絞り加工部８はその隆起高さを高くした方が（言い換えれば、絞りを深くした方が）基部２の剛性および強度をより高くすることができる。しかしながら、ある程度以上高く隆起された絞り加工部は欠陥を生じないように曲げ加工することが困難である。しかるに本実施例では、基部２となるべき部分２’および前方突出部３となるべき部分３’に形成する絞り加工部８に、高く隆起する高隆起部分８ａと低く隆起する低隆起部分８ｂとを設けておき、低隆起部分８ｂが存在する部分において基部２となるべき部分２’に対し前方突出部３となるべき部分３’を折り曲げ加工し、高隆起部分８ａが基部２の方に存在するようにするので、素材となる金属板の板厚を薄くしても、基部２の剛性および強度を高くすることができ、しかも絞り加工部８を欠陥を生じさせることなく曲げ加工することができる。
【００２５】
また、本実施例では、基部２から前方に突出する間隙保持部６が設けられており、外装材１２の裏面がこの間隙保持部６に当接されることにより、外装材１２と壁下地材７との間に十分な間隙を確保し、通気性を高める等の効果を得ることができる。そして、基部２および間隙保持部６の双方に跨って存在する屈曲された間隙保持部側リブ１１を有しているので、素材となる金属板の板厚を薄くしても、基部２と間隙保持部６との折り曲げ部付近の剛性および強度を高め、取付金具１の変形を防止できる。
【００２６】
図２１〜２９は本発明による壁用パネル状材の取付金具に対する参考例、図３０および３１は該参考例の製造工程において基部となるべき部分に対し前方突出部となるべき部分および間隙保持部となるべき部分を折り曲げ加工する直前の状態の状態を示している。
【００２７】
この参考例においても、前記第一実施例と同様に取付金具１は、鋼板、ステンレス鋼板、アルミニウム合金板等からなる１枚の金属板をプレス加工により成形してなり、基部２、前方突出部３、一対の第一の折り曲げ片４、第二の折り曲げ片５、および一対の間隙保持部６を一体的に有している。また、前記基部２はその外周を大略のところ矩形状とされており、前記前方突出部３は基部２の一端部（図２３における下端部）から直角に折り曲げられて壁下地材７と反対方向となる方向（前方）に突出している。
【００２８】
前記基部２には、プレス加工の絞り加工により形成された絞り加工部８が設けられている。この絞り加工部８は、前記第一実施例における高隆起部分８ａと同様の形状を有しているが、低隆起部分８ｂに相当する部分は有していない。前記基部２および前記前方突出部３には、これらの両方に跨って屈曲された前方突出部側リブ１７が適当数設けられており、これらのリブは絞り加工部８に連続している。このような前方突出部側リブ１７を形成する方法については後で詳しく説明する。
【００２９】
前記絞り加工部８の斜面部８ａ1には、前記第一実施例の場合と同様に釘穴９およびビス穴１０が設けられている。前記基部２および間隙保持部６には、前記第一実施例の場合と同様に、これら両部分２，６に跨って存在する屈曲されたビード状の間隙保持部側リブ１１が設けられており、これらの間隙保持部側リブ１１は絞り加工部８に連続している。
【００３０】
図３０および３１は、取付金具１の製造過程において、基部２となるべき部分２’に対し前方突出部３となるべき部分３’および間隙保持部６となるべき部分６’を折り曲げ加工する直前の状態を示している（図３０は該状態を示す平面図、図３１は図３０のＸＸＸＩ−ＸＸＸＩ線における断面図である）。これらの図に示されるように、基部２となるべき部分２’に対し前方突出部３となるべき部分３’および間隙保持部６となるべき部分６’を折り曲げる前に、基部２となるべき部分２’に絞り加工部８を絞り加工により形成するとともに、基部２となるべき部分２’および前方突出部３となるべき部分３’に跨ってビード状の前方突出部側リブ１７をエンボス加工等のプレス加工により形成する一方、基部２となるべき部分２’および間隙保持部６となるべき部分６’に跨ってビード状の間隙保持部側リブ１１をエンボス加工等のプレス加工により形成する。
【００３１】
次に、基部２となるべき部分２’に対し前方突出部３となるべき部分３’を折り曲げ加工するとともに、基部２となるべき部分２’に対し間隙保持部６となるべき部分６’を折り曲げ加工することにより、図２１〜２９に示したような屈曲された前方突出部側リブ１７および間隙保持部側リブ１１が形成される。なお、第一および第二の折り曲げ片４，５、釘穴９、ビス穴１０、コの字状屈曲部６ａはこの後に加工してもよいし、この前に加工してもよい。
【００３２】
本参考例の取付金具１も、前記実施例の場合と同様にして使用することができる。
【００３３】
また、この取付金具１においても、基部２および前方突出部３の双方に跨って存在する屈曲された前方突出部側リブ１７を有するので、素材となる金属板の板厚を薄くしても、基部２と前方突出部３との折り曲げ部付近の剛性および強度を高め、取付金具１の変形を防止できる。
【００３４】
また、屈曲された前方突出部側リブ１７は、基部２において前方（壁下地材７と反対方向となる方向）に隆起しているので、取付金具１を壁下地材７に取り付ける際に邪魔にならない。
【００３５】
また、本参考例では、基部２となるべき部分２’には絞り加工部８が設けられており、しかもこの絞り加工部８が前方突出部側リブ１７に連続しているので、基部２の剛性および強度を高くすることができる。
【００３６】
なお、本発明における絞り加工部８、間隙保持部側リブ１１および前方突出部側リブ１７の形状は、前記実施例におけるような形状に限定されることはなく、同様の作用効果を果たす形状であればよい。
【００３７】
また、本発明による取付金具１は、前記実施例のような外装材のみならず、内壁材等の他の種の壁用パネル状材を壁下地材に取り付ける取付金具にも適用できるものである。
【００３８】
【発明の効果】
以上のように本発明は、素材となる金属板の板厚を薄くしても、基部と前方突出部との折り曲げ部付近の剛性および強度を高め、取付金具の変形を防止できる等の優れた効果を得られるものである。
【図面の簡単な説明】
【図１】  本発明による壁用パネル状材の取付金具の第一実施例を示す斜視図である。
【図２】  前記第一実施例を反対方向から見て示す斜視図である。
【図３】  前記第一実施例を示す正面図である。
【図４】  前記第一実施例を示す側面図である。
【図５】  前記第一実施例を示す平面図である。
【図６】  前記第一実施例を示す背面図である。
【図７】  前記第一実施例を示す底面図である。
【図８】  図３のＶＩＩＩ−ＶＩＩＩ線における断面図である。
【図９】  図３のＩＸ−ＩＸ線における断面図である。
【図１０】  図３のＸ−Ｘ線における断面図である。
【図１１】  図４のＸＩ−ＸＩ線における断面図である。
【図１２】  前記第一実施例の取付金具の製造過程において、基部となるべき部分に対し前方突出部となるべき部分および間隙保持部となるべき部分を折り曲げ加工する直前の状態を示す斜視図である。
【図１３】  前記図１２の状態を図１２と反対側から見て示す斜視図である。
【図１４】  前記図１２の状態を示す平面図である。
【図１５】  図１４のＸＶ−ＸＶ線における断面図である。
【図１６】  図１４のＸＶＩ−ＸＶＩ線における断面図である。
【図１７】  外装材を所謂横貼りする様子を示す正面図である。
【図１８】  外装材を所謂縦貼りする様子を示す正面図である。
【図１９】  前記第一実施例の取付金具を用いた外装材の取付構造の一例の、釘打ち前の状態を示す断面図である。
【図２０】  前記外装材の取付構造例における、釘打ちを完了し、さらに上段側の外装材の下端部を取付金具に係合した状態を示す断面図である。
【図２１】  本発明による壁用パネル状材の取付金具の参考例を示す斜視図である。
【図２２】  前記参考例を反対方向から見て示す斜視図である。
【図２３】  前記参考例を示す正面図である。
【図２４】  前記参考例を示す平面図である。
【図２５】  前記参考例を示す背面図である。
【図２６】  前記参考例を示す底面図である。
【図２７】  図２３のＸＸＶＩＩ−ＸＸＶＩＩ線における断面図である。
【図２８】  図２３のＸＸＶＩＩＩ−ＸＸＶＩＩＩ線における断面図である。
【図２９】  図２７のＸＸＩＸ−ＸＸＩＸ線における断面図である。
【図３０】  前記参考例の取付金具の製造過程において、基部となるべき部分に対し前方突出部となるべき部分および間隙保持部となるべき部分を折り曲げ加工する直前の状態を示す斜視図である。
【図３１】  図３０のＸＸＸＩ−ＸＸＸＩ線における断面図である。
【符号の説明】
１    壁用パネル状材の取付金具
２    基部
２’  基部となるべき部分
３    前方突出部
３’  前方突出部となるべき部分
４    第一の折り曲げ片
５    第二の折り曲げ片
６    間隙保持部
６’  間隙保持部となるべき部分
７    壁下地材
８    絞り加工部
８ａ  高隆起部分
８ｂ  低隆起部分
１１    間隙保持部側リブ
１２    外装材（壁用パネル状材）
１７    前方突出部側リブ
【図１】
0003944381.tif 000002
【図２】
0003944381.tif 000003
【図３】
0003944381.tif 000004
【図４】
0003944381.tif 000005
【図５】
0003944381.tif 000006
【図６】
0003944381.tif 000007
【図７】
0003944381.tif 000008
【図８】
0003944381.tif 000009
【図９】
0003944381.tif 000010
【図１０】
0003944381.tif 000011
【図１１】
0003944381.tif 000012
【図１２】
0003944381.tif 000013
【図１３】
0003944381.tif 000014
【図１４】
0003944381.tif 000015
【図１５】
0003944381.tif 000016
【図１６】
0003944381.tif 000017
【図１７】
0003944381.tif 000018
【図１８】
0003944381.tif 000019
【図１９】
0003944381.tif 000020
【図２０】
0003944381.tif 000021
【図２１】
0003944381.tif 000022
【図２２】
0003944381.tif 000023
【図２３】
0003944381.tif 000024
【図２４】
0003944381.tif 000025
【図２５】
0003944381.tif 000026
【図２６】
0003944381.tif 000027
【図２７】
0003944381.tif 000028
【図２８】
0003944381.tif 000029
【図２９】
0003944381.tif 000030
【図３０】
0003944381.tif 000031
【図３１】
0003944381.tif 000032